Podtech/llm-jp-corpus-v4-ja_patent huggingface dataset:
【手続補正書】
【提出日】平成27年6月8日(2015.6.8)
【手続補正１】
【補正対象書類名】明細書
【補正対象項目名】００７２
【補正方法】変更
【補正の内容】
【００７２】
本発明は、以下の発明を包含する。
（１）ＭＤＡおよび式（ＩＩ）および／または（ＩＩＩ）：
【化５】
2014532616.tif 000001
〔式中、
Ｒは、水素、必要に応じて置換されたまたはヘテロ原子含有の、飽和または不飽和アルキル、シクロアルキル、アラルキルまたはアリール基を表し、
Ｒ１は、水素、必要に応じて置換されたまたはヘテロ原子含有の、飽和または不飽和アルキル、シクロアルキル、アラルキルまたはアリール基を表し、
またはＲおよびＲ１は、これらがフェニレンジアミン部分的構造と共に二環式構造要素を形成するように、互いに直接結合し、
Ｒ２、Ｒ３、Ｒ４およびＲ５は、互いに独立して、同一の芳香族系に結合するアミノ基に対するオルト、メタまたはパラ位における、水素、または必要に応じて置換されたまたはヘテロ原子含有の、飽和または不飽和アルキル、シクロアルキル、アラルキルまたはアリール基を表す〕
の多環式芳香族ポリアミンおよび／または式（ＩＩ）および／または（ＩＩＩ）の化合物の高級同族体を含む混合物のホスゲン化による、淡色ポリイソシアネート混合物の製造方法。
（２）ＲおよびＲ１は互いに独立して、水素またはメチルを表し、および／または基Ｒ２〜Ｒ５は水素を表す、（１）に記載の方法。
（３）式（ＩＩ）中の基（Ｈ２Ｎ）２Ｃ６ＨＲＲ１または式（ＩＩＩ）中の（Ｈ２Ｎ）２Ｃ６ＲＲ１は、ｏ−フェニレンジアミン、１，２−ジアミノ−３−メチルベンゼンまたは１，２−ジアミノ−４−メチルベンゼン由来である、（１）または（２）に記載の方法。
（４）出発混合物における多環式芳香族ポリアミン（ＩＩ）および（ＩＩＩ）および／またはその高級同族体の含有量は、ＭＤＡ、多環式芳香族ポリアミン（ＩＩ）および（ＩＩＩ）およびその高級同族体の全重量を基準として、０．００１〜５重量％である、（１）〜（３）のいずれかに記載の方法。
（５）出発混合物における多環式芳香族ポリアミン（ＩＩ）および（ＩＩＩ）の含有量は、ＭＤＡ、多環式芳香族ポリアミン（ＩＩ）および（ＩＩＩ）およびその高級同族体の全重量を基準として、０．００１〜２重量％である、（１）〜（４）のいずれかに記載の方法。
（６）（１）〜（５）のいずれかに記載の方法によって得ることができるポリイソシアネート混合物。
（７）ＭＤＩおよび式（ＩＩ）および（ＩＩＩ）：
【化６】
2014532616.tif 000002
〔式中、
Ｒは、水素、必要に応じて置換されたまたはヘテロ原子含有の、飽和または不飽和アルキル、シクロアルキル、アラルキルまたはアリール基を表し、
Ｒ１は、水素、必要に応じて置換されたまたはヘテロ原子含有の、飽和または不飽和アルキル、シクロアルキル、アラルキルまたはアリール基を表し、
またはＲおよびＲ１は、これらがフェニレンジアミン部分的構造と共に二環式構造要素を形成するように、互いに直接結合し、
Ｒ２、Ｒ３、Ｒ４およびＲ５は互いに独立して、オルト、メタまたはパラ位における、水素、または必要に応じて置換されたまたはヘテロ原子含有の、飽和または不飽和アルキル、シクロアルキル、アラルキルまたはアリール基を表す〕
の多環式芳香族ポリアミンおよび／またはその高級同族体由来の多環式芳香族ポリイソシアネートを含むポリイソシアネート混合物。
（８）ＲおよびＲ１は互いに独立して、水素またはメチルを表し、および／または基Ｒ２〜Ｒ５は水素を表す、（７）に記載のポリイソシアネート混合物。
（９）式（ＩＩ）中の基（Ｈ２Ｎ）２Ｃ６ＨＲＲ１または式（ＩＩＩ）中の（Ｈ２Ｎ）２Ｃ６ＲＲ１は、ｏ−フェニレンジアミン、１，２−ジアミノ−３−メチルベンゼンまたは１，２−ジアミノ−４−メチルベンゼン由来である、（７）または（８）に記載のポリイソシアネート混合物。
（１０）特許請求されたポリイソシアネート混合物における、多環式芳香族ポリアミン（ＩＩ）および（ＩＩＩ）および／またはその高級同族体由来の多環式芳香族ポリイソシアネートの含有量は、ＭＤＩおよび前記多環式芳香族ポリアミン（ＩＩ）および（ＩＩＩ）およびその高級同族体由来の多環式芳香族ポリイソシアネートの全重量を基準として、０．００１〜５重量％である、（７）〜（９）のいずれかに記載のポリイソシアネート混合物。
（１１）出発混合物における、前記多環式芳香族ポリアミン（ＩＩ）および（ＩＩＩ）由来の多環式芳香族ポリイソシアネートの含有量は、ＭＤＩおよび多環式芳香族ポリアミン（ＩＩ）および（ＩＩＩ）およびその高級同族体由来の多環式芳香族ポリイソシアネートの全重量を基準として、０．００１〜２重量％である、（７）〜（１０）のいずれかに記載のポリイソシアネート混合物。
（１２）ポリウレタン材料の製造のための、（６）〜（１１）のいずれかに記載のポリイソシアネート混合物の使用。
次の実施例によって本発明が説明される。
【手続補正２】
【補正対象書類名】特許請求の範囲
【補正対象項目名】全文
【補正方法】変更
【補正の内容】
【特許請求の範囲】
【請求項１】
ＭＤＡおよび式（ＩＩ）および／または（ＩＩＩ）：
【化１】
2014532616.tif 000003
〔式中、
Ｒは、水素、必要に応じて置換されたまたはヘテロ原子含有の、飽和または不飽和アルキル、シクロアルキル、アラルキルまたはアリール基を表し、
Ｒ１は、水素、必要に応じて置換されたまたはヘテロ原子含有の、飽和または不飽和アルキル、シクロアルキル、アラルキルまたはアリール基を表し、
またはＲおよびＲ１は、これらがフェニレンジアミン部分的構造と共に二環式構造要素を形成するように、互いに直接結合し、
Ｒ２、Ｒ３、Ｒ４およびＲ５は、互いに独立して、同一の芳香族系に結合するアミノ基に対するオルト、メタまたはパラ位における、水素、または必要に応じて置換されたまたはヘテロ原子含有の、飽和または不飽和アルキル、シクロアルキル、アラルキルまたはアリール基を表す〕
の多環式芳香族ポリアミンおよび／または式（ＩＩ）および／または（ＩＩＩ）の化合物の高級同族体を含む混合物のホスゲン化による、淡色ポリイソシアネート混合物の製造方法。
【請求項２】
請求項１に記載の方法によって得ることができるポリイソシアネート混合物。
【請求項３】
ＭＤＩおよび式（ＩＩ）および（ＩＩＩ）：
【化２】
2014532616.tif 000004
〔式中、
Ｒは、水素、必要に応じて置換されたまたはヘテロ原子含有の、飽和または不飽和アルキル、シクロアルキル、アラルキルまたはアリール基を表し、
Ｒ１は、水素、必要に応じて置換されたまたはヘテロ原子含有の、飽和または不飽和アルキル、シクロアルキル、アラルキルまたはアリール基を表し、
またはＲおよびＲ１は、これらがフェニレンジアミン部分的構造と共に二環式構造要素を形成するように、互いに直接結合し、
Ｒ２、Ｒ３、Ｒ４およびＲ５は互いに独立して、オルト、メタまたはパラ位における、水素、または必要に応じて置換されたまたはヘテロ原子含有の、飽和または不飽和アルキル、シクロアルキル、アラルキルまたはアリール基を表す〕
の多環式芳香族ポリアミンおよび／またはその高級同族体由来の多環式芳香族ポリイソシアネートを含むポリイソシアネート混合物。
【請求項４】
ポリウレタン材料の製造のための、請求項２または３に記載のポリイソシアネート混合物の使用。
【手続補正書】
【提出日】平成27年6月29日(2015.6.29)
【手続補正１】
【補正対象書類名】特許請求の範囲
【補正対象項目名】全文
【補正方法】変更
【補正の内容】
【特許請求の範囲】
【請求項１】
組成物であって、
（ａ）ＥＤＴＡ、ＥＧＴＡ、ＤＴＰＡ、ＥＤＤＨＡ、ＩＤＡ、ＣＤＴＡ、ＨＥＤＴＡ、ＨＥＩＤＡ、ＮＴＡ、の１つ又は複数から選択されるキレート剤と、
（ｂ）クエン酸ナトリウム、クエン酸カリウム及びクエン酸亜鉛の１つ又は複数から選択されるクエン酸塩と、
を含む、口腔内疾患を予防及び治療するための組成物。
【請求項２】
前記ＥＤＴＡ、ＥＧＴＡ、ＤＴＰＡ、ＥＤＤＨＡ、ＩＤＡ、ＣＤＴＡ、ＨＥＤＴＡ、ＨＥＩＤＡ、ＮＴＡ、の１つ又は複数が二ナトリウム塩又は四ナトリウム塩の形態である、請求項１に記載の組成物。
【請求項３】
前記キレート剤及びクエン酸塩が、約４００ｍｇ／Ｌと約４０００ｍｇ／Ｌの間の量で存在する請求項１又は２に記載の組成物。
【請求項４】
前記キレート剤及びクエン酸塩が、４０００ｍｇ／Ｌより多い量で存在する請求項１又は２に記載の組成物。
【請求項５】
前記キレート剤及びクエン酸塩が、前記組成物に対し、約３００ｍｇ／Ｌと約３０００ｍｇ／Ｌの間の量で存在する、請求項１又は２に記載の組成物。
【請求項６】
口腔疾患関連の細菌に対して有効である、請求項１〜５のいずれか一項に記載の組成物。
【請求項７】
前記細菌が、ストレプトコッカス・ミュータンス、ストレプトコッカス・ソブリナス、ストレプトコッカス・サングイス（サングイニス）、ストレプトコッカス・ゴルドニ、ストレプトコッカス・オラリス、ストレプトコッカス・ミチス、アクチノミセス・オドントリティカス（Actinomyces odontolyticus）、アクチノミセス・ビスコーサス（Actinomyces viscosus）、アグレガチバクター・アクチノミセテムコミタンス、ポルフィロモナス・ジンジバリス、プレボテラ・インテルメディア（Prevotella intermedia）、バクテロイデス・フォーサイス（Bacteroides forsythus）、トレポネーマ・デンティコラ（Treponema denticola）、フゾバクテリウム・ヌクレアーツム（Fusobacterium nucleatum）、カンピロバクター・レクタス（Campylobacter rectus）、アイケネラ・コローデンス（Eikenella corrodens）、ベイロネア種（Veillonella spp.）、ミクロモナス・ミクロス（Micromonas micros）、ポルフィロモナス・カンジンジバリス（Porphyromonas cangingivalis）、ヘモフィルス・アクチノミセテムコミタンス（Haemophilus actinomycetemcomitans）、アクチノミセス種、バチルス種、マイコバクテリウム種、フソバクテリウム種、ストレプトコッカス種、黄色ブドウ球菌（Staphylococcus aureus）、化膿レンサ球菌（Streptococcus pyogenes）、ストレプトコッカス・アガラクティエ（正：Streptococcus agalactiae）、プロテウス・ミラビリス（Proteus mirabilis）、クレブシエラ・ニューモニエ（Klebsiella pneumoniae）、大腸菌、アシネトバクター種、エンテロコッカス種、プレボテラ種、ポルフィロモナス種、クロスチジウム種、ステノトロホモナス・マルトフィリア（Stenotrophomonas maltophilia）及びカンジダ・アルビカンス（Candida albicans）からなる群より選択される、請求項１〜６のいずれか一項に記載の組成物。
【請求項８】
水、緩衝液、安定化剤、結合剤、ゲル化剤、脱感作剤、歯牙漂白剤、歯垢沈着防止助剤、界面活性剤、フッ化物、薬草、ビタミン、ミネラル、抗微生物剤、抗生物質、ｐＨ調整剤、香料、安息香酸塩及び着色剤からなる群より選択される１つ又は複数の成分を更に含む、請求項１〜７のいずれか一項に記載の組成物。
【請求項９】
前記キレート剤がＥＤＴＡ二ナトリウムである、請求項１〜８のいずれか一項に記載の組成物。
【請求項１０】
クエン酸ナトリウムとＥＤＴＡ二ナトリウムとを含む、口腔内疾患を予防及び治療するための組成物。
【請求項１１】
水、緩衝液、安定化剤、結合剤、ゲル化剤、脱感作剤、歯牙漂白剤、歯垢沈着防止助剤、界面活性剤、フッ化物、薬草、ビタミン、ミネラル、抗微生物剤、抗生物質、ｐＨ調整剤、香料、安息香酸塩及び着色剤からなる群より選択される１つ又は複数の成分を更に含む、請求項１〜１０のいずれか一項に記載の組成物。
【請求項１２】
前記ミネラルが、亜鉛塩、乳酸亜鉛、クエン酸亜鉛、グルコン酸亜鉛及び塩化亜鉛の１つ又は複数からなる群より選択される、請求項１１に記載の組成物。
【請求項１３】
洗口液／リンス、噴霧剤、溶液、ゲル、水添加剤、研磨用／非歯磨剤ゲル、ペースト、義歯洗浄剤、義歯浸漬液、義歯接着剤又はセメント、チューインガム、キャンディ、ロゼンジ、ビスケット及びソフトドリンクの１つ又は複数として調製される、請求項１〜１２のいずれか一項に記載の組成物。
【請求項１４】
リポソーム系又はナノ粒子送達系を含む、請求項１〜１３のいずれか一項に記載の組成物。
【請求項１５】
過炭酸ナトリウム又は過ホウ素酸ナトリウム、シリコーンポリマー、ラウリル硫酸ナトリウム；フッ化ナトリウム、フッ化第一スズ及びモノフルオロリン酸ナトリウムからなる群より選択されるオーラルケア化合物を更に含む、請求項１〜１４のいずれか一項に記載の組成物。
【請求項１６】
ＣＳＰ、ＣＳＰアナログ、ＤｉｓｐｅｒｓｉｎＢ、ナイシン、ラクトフェリシン、オボアルブミン、オボムコイド、硫酸プロタミン、クロルヘキシジン、塩化セチルピリジニウム、トリクロサン、塩化ベンザルコニウム、過酸化水素、没食子酸エピガロカテキン、ランソプラゾール、キシリトール、ソルビトール、オイゲノール、トリポリリン酸ナトリウム、クエン酸、クエン酸ナトリウム、クエン酸カリウム、クエン酸亜鉛、５−フルオロウラシル、シス−２−デセン酸、ＤＮアーゼ  Ｉ、プロテイナーゼＫ、銀、ガリウム及び抗微生物ペプチドからなる群より選択される感染防止化合物を更に含む、請求項１〜１５のいずれか一項に記載の組成物。
【請求項１７】
ヒト、家畜及び産業動物、並びに動物園の動物、スポーツ用動物又はペット動物、例えばイヌ、ウマ、ネコ、ウシ、ブタ及びヒツジの１種又は複数種を治療するために使用される、請求項１〜１６のいずれか一項に記載の組成物の口腔使用を含む、口腔内疾患を予防又は治療する方法。
【請求項１８】
前記口腔内疾患が歯科バイオフィルムに関連するものである、請求項１７に記載の方法。
【請求項１９】
前記口腔内疾患が、齲蝕、歯肉炎、歯周炎、口腔細菌感染及び疾患の１つ又は複数から選択される、請求項１７又は１８に記載の方法。
【請求項２０】
前記組成物への複数回曝露を更に含む、請求項１７〜１９のいずれか一項に記載の方法。
【手続補正書】
【提出日】平成27年10月13日(2015.10.13)
【手続補正１】
【補正対象書類名】特許請求の範囲
【補正対象項目名】全文
【補正方法】変更
【補正の内容】
【特許請求の範囲】
【請求項１】
ウイルス感染の処置に使用するための、式（Ｉ）
【化１】
2014532636.tif 000001
［式中：
各Ｒ１は、ニトロ基（ＮＯ２）、アルキル基およびハロゲン原子より選択される１個または複数の置換基で場合により置換されている、ベンジル基およびベンゾイル基より独立して選択され、
Ｒ２は、水素原子、アシル基、モノホスフェート、ジホスフェートもしくはトリホスフェート、または安定化されたホスフェート誘導体より選択される］
で示される化合物、その異性体、互変異性体もしくは鏡像異性体、そのプロドラッグもしくは薬学的に許容されうる塩、またはその混合物、を含有する医薬。
【請求項２】
ＨＩＶウイルス、Ｃ型肝炎ウイルス、Ｂ型肝炎ウイルスおよびヘルペスウイルスの感染より選択されるウイルス感染の処置に使用するための、請求項１記載の医薬。
【請求項３】
ＨＩＶウイルス感染であるウイルス感染の処置に使用するための、請求項１または２記載の医薬。
【請求項４】
ＨＩＶ−１ウイルス感染であるウイルス感染の処置に使用するための、請求項３記載の医薬。
【請求項５】
ＨＩＶウイルスに感染した、ヌクレオシド系逆転写酵素阻害剤に耐性の患者の処置に使用するための、請求項３または４記載の医薬。
【請求項６】
４個のＲ１基がベンゾイル基である、請求項１〜５のいずれか一項記載のウイルス感染の処置に使用するための医薬。
【請求項７】
Ｒ２が、基
【化２】
2014532636.tif 000002
および基
【化３】
2014532636.tif 000003
［式中、ＡｒおよびＡｒ’は、１個または複数のハロゲン原子で場合により置換されている、フェニルまたはナフチル基であり、Ｒ、Ｒ’、Ｒ”およびＲ”’は、水素原子、ヒドロキシル基（ＯＨ）、アルキル、フェニル、およびアミン基ＮＲａＲｂ（ここで、ＲａおよびＲｂは、水素原子、アルキルおよびハロアルキルより選択される）より独立して選択される］
より選択される、安定化されたホスフェート誘導体である、請求項１〜６のいずれか一項記載のウイルス感染の処置に使用するための医薬。
【請求項８】
Ｒ２が水素原子である、請求項１〜６のいずれか一項記載のウイルス感染の処置に使用するための医薬。
【請求項９】
式（Ｉ）で示される化合物がＮ６，Ｎ６，Ｏ２’，Ｏ３’−テトラベンゾイルアデノシンである、請求項８記載のウイルス感染の処置に使用するための医薬。
【請求項１０】
請求項１〜９のいずれか一項に規定した化合物の少なくとも１種および薬学的に許容されうる支持体を含む薬学的組成物。
【請求項１１】
式（Ｉ）で示される化合物がＮ６，Ｎ６，Ｏ２’，Ｏ３’−テトラベンゾイルアデノシンである、請求項１０記載の組成物。
【請求項１２】
１種または複数の他の抗レトロウイルス剤も含む、請求項９または１０記載の薬学的組成物。
【請求項１３】
経口投与に適する、請求項１０〜１２のいずれか一項記載の薬学的組成物。
【請求項１４】
ＨＩＶ−１を包含するＨＩＶウイルスに感染した患者が請求項１〜９のいずれか一項に規定した化合物を用いた治療に感受性であるかどうかを評価するための、ウイルスの逆転写酵素のコドン２１５における突然変異を検索することを含むin vitro方法であって、野生型トレオニンのチロシンへの置換が、野生型ウイルスよりも該化合物に対して大きな感受性であることを示す、方法。
【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
２−（４−（２−ヒドロキシエトキシ）−３,５−ジメチルフェニル）キナゾリン−４（３Ｈ）−オン；
２−（３−クロロ−４−（２−ヒドロキシエトキシ）フェニル）−５,７−ジメトキシキナゾリン−４（３Ｈ）−オン；
２−（４−（２−ヒドロキシエトキシ）−３−メトキシフェニル）−５,７−ジメトキシキナゾリン−４（３Ｈ）−オン；
２−（４−ヒドロキシ−３−（２−ヒドロキシエチル）フェニル）−５,７−ジメトキシキナゾリン−４（３Ｈ）−オン；
２−（４−（２−ヒドロキシエトキシ）−３,５−ジメチルフェニル）−５,７−ジメチルキナゾリン−４（３Ｈ）−オン；
２−（４−（２−ヒドロキシエトキシ）−３,５−ジメチルフェニル）−５−メトキシキナゾリン−４（３Ｈ）−オン；
２−（４−（２−ヒドロキシエトキシ）−３−メチルフェニル）−５,７−ジメトキシキナゾリン−４（３Ｈ）−オン；
２−（４−（２−ヒドロキシエトキシ）−３,５−ジメチルフェニル）−５,７−ジメトキシキナゾリン−４（３Ｈ）−オン、または
その製薬的に許容し得る塩、立体異性体、水和物または互変異性体から選択される活性成分を含んでなる医薬製剤であって、該活性成分が
（ａ）約１０〜約１２％ｗ／ｗの量で存在し、さらに
（ｉ）約８２〜約８３％ｗ／ｗの微晶性セルロース；
（ｉｉ）約２．５％ｗ／ｗのコロイド状二酸化ケイ素；
（ｉｉｉ）約４．０％ｗ／ｗのデンプングリコール酸ナトリウム；および
（ｉｖ）約０．５％ｗ／ｗのステアリン酸マグネシウム
を含んでなるか；
（ｂ）約２０〜約２２％ｗ／ｗの量で存在し、さらに
（ｉ）約７０〜約７２％ｗ／ｗの微晶性セルロース；
（ｉｉ）約２．５％ｗ／ｗのコロイド状二酸化ケイ素；
（ｉｉｉ）約４．０％ｗ／ｗのデンプングリコール酸ナトリウム；および
（ｉｖ）約０．５％ｗ／ｗのステアリン酸マグネシウム；
を含んでなるか；または
（ｃ）約３１〜約３３％ｗ／ｗの量で存在し、さらに
（ｉ）約６０〜約６２％ｗ／ｗの微晶性セルロース；
（ｉｉ）約２．５％ｗ／ｗのコロイド状二酸化ケイ素；
（ｉｉｉ）約４．０％ｗ／ｗのデンプングリコール酸ナトリウム；および
（ｉｖ）約０．５％ｗ／ｗのステアリン酸マグネシウム
を含んでなるか；または
（ｄ）約４１〜約４３％ｗ／ｗの量で存在し、さらに
（ｉ）約５０〜約５１％ｗ／ｗのAvicel PH 301微晶性セルロース；
（ｉｉ）約２．５％ｗ／ｗのコロイド状二酸化ケイ素；
（ｉｉｉ）約４．０％ｗ／ｗのデンプングリコール酸ナトリウム；および
（ｉｖ）約０．５％ｗ／ｗのステアリン酸マグネシウム
を含んでなる、経口投与用の速放性製剤として製剤化された医薬製剤。
【請求項２】
約２５〜約１００ｍｇの活性成分を含有する、請求項１に記載の医薬製剤。
【請求項３】
約２５ｍｇの活性成分を含有する、請求項１に記載の医薬製剤。
【請求項４】
約５０ｍｇの活性成分を含有する、請求項１に記載の医薬製剤。
【請求項５】
約７５ｍｇの活性成分を含有する、請求項１に記載の医薬製剤。
【請求項６】
約１００ｍｇの活性成分を含有する、請求項１に記載の医薬製剤。
【請求項７】
活性成分が２−（４−（２−ヒドロキシエトキシ）−３,５−ジメチルフェニル）−５,７−ジメトキシキナゾリン−４（３Ｈ）−オンである請求項１〜６のいずれかに記載の医薬製剤。
【請求項８】
活性成分が２−（４−（２−ヒドロキシエトキシ）−３,５−ジメチルフェニル）−５,７−ジメトキシキナゾリン−４（３Ｈ）−オンの塩酸塩である請求項１〜６のいずれかに記載の医薬製剤。
【請求項９】
活性成分の粒子サイズが、約１〜２５０ミクロン、約１〜１００ミクロン、または約１〜１０ミクロンの範囲である、請求項１〜８のいずれかに記載の製剤。
【請求項１０】
製剤の崩壊時間が１２０秒以下である、請求項１〜９のいずれかに記載の製剤。
【請求項１１】
心血管疾患、メタボリックシンドローム、炎症性疾患、アルツハイマー病、糖尿病または癌の治療または予防のための請求項１〜１０のいずれかに記載の医薬製剤。
【手続補正書】
【提出日】平成27年10月27日(2015.10.27)
【手続補正１】
【補正対象書類名】特許請求の範囲
【補正対象項目名】全文
【補正方法】変更
【補正の内容】
【特許請求の範囲】
【請求項１】
アンモニア、水溶性アミンまたはアルカノールアミンおよびアミノカルボン酸からなる群から選択されるアミノ化合物と錯体形成した銅または亜鉛のイオンである殺生剤と、
カチオン性ポリマーとを含む木材防腐剤配合物であって、
前記カチオン性ポリマーが、
（ｉ）式（Ｉ）の化合物
【化１４】
2014532689.tif 000001
（ｉｉ）式（ＩＩ）の化合物
【化１５】
2014532689.tif 000002
；および
（ｉｉｉ）式（ＩＩＩ）の化合物
【化１６】
2014532689.tif 000003
［前記式中、
ｎ＝３から５０００；
ｎ1＝０、１または２；
ｎ2＝０または１；
ｎ3＝２または３、およびｎ＝３のとき、窒素原子が正電荷を帯び、対イオンＸ-が存在し；
Ｒx基は、同一または異なっていてもよく、水素または直鎖、分岐もしくは環状のアルキル、アルケニル、アルキニル、アルカノキシル、アリール、
−（Ｃ＝Ｏ）Ｈ、−（Ｃ＝Ｏ）Ｒn、−ＣＯ2Ｈ  −ＣＯ2Ｒn、−ＣＨ2ＣＯ2Ｈ、−ＣＨ2ＣＯ2Ｒn、ＣＨ2ＮＲnＲn、−（Ｃ＝Ｏ）ＮＲnＲn、−ＣＮ、−（ＣＨ2）ｎ4−Ｏ−Ｒn（前記式中、Ｒn基は、同一または異なっていてもよく、水素、または直鎖、分岐もしくは環状のアルキル、アルケニル、アルキニル、アルカノキシルもしくはアリールであり；
ｎ4＝２または３）であり；
Ｒyは、式（ＩＶ）で表され、
【化１７】
2014532689.tif 000004
［前記式中、
Ｒz＝ＨまたはＯＨ；
ａ＝０から１０；
ｂ＝０または１；
ｃ＝０から１０；
ｄ＝０から１０］；
Ｘ-は、塩化物、臭化物、ヨウ化物、フッ化物、硫酸塩、リン酸塩、カルボン酸塩、特にプロピオン酸塩および乳酸塩、炭酸塩、重炭酸塩、硝酸塩、亜硝酸塩、水酸化物、シアン化物から選択されるアニオンであり；
＊は、ポリマーの骨格内の繰り返し単位をつなぐ結合を意味する。］
からなる群から選択される
木材防腐剤配合物。
【請求項２】
前記ポリマーが、１，０００から１００，０００、好ましくは１，０００から５０，０００の分子量を有する請求項１に記載の木材防腐剤配合物。
【請求項３】
前記配合物が、０．０１から４重量％、好ましくは０．１から１重量％の前記カチオン性ポリマーを含む請求項１または２に記載の木材防腐剤配合物。
【請求項４】
前記アミノ化合物が、モノエタノールアミンまたはアンモニアである請求項１〜３のいずれか一項に記載の木材防腐剤配合物。
【請求項５】
前記アミノ化合物が、ラウリルアミンまたはジメチルラウリルアミンである請求項１〜３のいずれか一項に記載の木材防腐剤配合物。
【請求項６】
アゾール化合物をさらに含む請求項１〜５のいずれか一項に記載の木材防腐剤配合物。
【請求項７】
ジデシルジメチルアンモニウムクロリドまたはジデシルジメチルアンモニウム炭酸塩をさらに含む請求項１〜６のいずれか一項の前記木材防腐剤配合物。
【請求項８】
前記カチオン性ポリマーは、
ポリビニルホルムアミド、
ポリアミド、
ポリビニルアミド、
ポリアミン、
ポリビニルアミン（ＰＶＡｍ）、
ポリＤＡＤＭＡＣ’ｓ、
ポリアリルアミン（ＰＡＡｍ）、
ポリＤＡＤＭＡＣスルホンおよび
ビニルアミン／ビニルホルムアミドコポリマーからなる群から選択される請求項１〜７のいずれか一項の前記木材防腐剤配合物。
【請求項９】
前記カチオン性ポリマーは、ポリアミン、好ましくは２，０００から４，０００の分子量を有するポリアミンである請求項８の前記木材防腐剤配合物。  
【請求項１０】
（ａ）  請求項１、４または５のいずれか一項において定義したアミノ化合物と錯体形成した銅または亜鉛のイオンである殺生剤、および
（ｂ）請求項１〜９のいずれか一項において定義したカチオン性ポリマーを含む組み合わせ木材防腐製品。
【請求項１１】
請求項１もしくは２または４〜９のいずれか一つに定義された木材防腐剤配合物を含む水性の木材防腐処理溶液であって、前記溶液は、１０から１０００ｐｐｍのカチオン性ポリマーを含む溶液。
【請求項１２】
５０から１０００ｐｐｍのカチオン性ポリマーを含む請求項１１に記載の木材防腐処理溶液。
【請求項１３】
木材または他のセルロース系材料を保護する方法であって、
前記木材もしくは他のセルロース系材料に、請求項１〜９のいずれか一項の配合物もしくは溶液を適用するか、または
（ａ）請求項１、４または５のいずれか一項において定義したアミノ化合物と錯体形成した銅または亜鉛のイオンである殺生剤、および
（ｂ）請求項１〜１２のいずれか一項において定義したカチオン性ポリマーを、前記木材／材料に適用し、
前記木材／材料が、請求項１〜９のいずれか一項において定義された配合物を効果的に受け取ることを含む、木材または他のセルロース系材料を保護する方法。
【請求項１４】
処理される木材を入れるのに適合された保管タンクと、
前記タンク中に、（ａ）請求項１、４または５のいずれか一項において定義したアミノ化合物と錯体形成した銅または亜鉛のイオンである殺生剤および（ｂ）請求項１〜１２のいずれか一項において定義したカチオン性ポリマーを含む一定量の処理溶液とを含む木材処理システム。
【請求項１５】
（ａ）請求項１、４または５のいずれか一項において定義したアミノ化合物と錯体形成した銅または亜鉛のイオンである殺生剤および（ｂ）請求項１〜１２のいずれか一項において定義したカチオン性ポリマーを含む、木材または他のセルロース系材料の基質。
【請求項１６】
（ａ）請求項１、４または５のいずれかにおいて定義したアミノ化合物と錯体形成した銅または亜鉛のイオンである殺生剤および（ｂ）請求項１〜１２のいずれか一項において定義したカチオン性ポリマーを混合することを含む木材防腐剤配合物を製造する方法。
【請求項１７】
保護の方法において、木材または他のセルロース系材料へ共に投与される、請求項１、４または５のいずれかにおいて定義したアミノ化合物と錯体形成した銅または亜鉛のイオンである殺生剤の前記木材または他のセルロース系材料への浸透を増強させる、請求項１〜１２のいずれか一項において定義されたカチオン性ポリマーの使用。
【手続補正書】
【提出日】平成27年10月26日(2015.10.26)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2014532688.tif 000001
［式中、
ｎは、０または１を表し；
Ｘは、−ＣＨ２−または−Ｃ（Ｏ）−を表し；
Ｒ１およびＲ２は独立に、Ｈ、ハロゲン、ＮＯ２、ＣＦ３およびＣＮからなる群から選択され；
Ｒ３およびＲ６は独立に、ハロゲン、ＯＨ、置換されていてもよいＣ１−Ｃ６アルキル、置換されていてもよいＣ１−Ｃ６アルコキシ、Ｃ１−６ハロアルキル、ＮＨ２、ＮＯ２およびＣＮからなる群から選択され；
Ｒ４、Ｒ５およびＲ７は独立に、Ｈ、ハロゲン、ＯＨ、置換されていてもよいＣ１−Ｃ６アルキル、置換されていてもよいＣ１−Ｃ６アルコキシ、Ｃ１−６ハロアルキル、ＮＨ２、ＮＯ２およびＣＮからなる群から選択される］
の化合物またはその塩もしくは溶媒和物を含んでなる、医薬組成物。
【請求項２】
式（Ｉ）の化合物が式（Ｉａ）：
【化２】
2014532688.tif 000002
（式中、ｎ、Ｘ、Ｒ１〜Ｒ７は請求項１において定義される通り）の化合物またはその塩もしくは溶媒和物である、請求項１に記載の医薬組成物。
【請求項３】
式（Ｉ）の化合物が式（Ｉｂ）：
【化３】
2014532688.tif 000003
(式中、ｎ、Ｘ、Ｒ１〜Ｒ７は請求項１において定義される通り）の化合物またはその塩もしくは溶媒和物である、請求項１に記載の医薬組成物。
【請求項４】
式（Ｉａ）の化合物が
【化４】
2014532688.tif 000004
またはその塩もしくは溶媒和物からなる群から選択される、請求項２に記載の医薬組成物。
【請求項５】
式（Ｉｂ）の化合物が
【化５】
2014532688.tif 000005
またはその塩もしくは溶媒和物からなる群から選択される、請求項３に記載の医薬組成物。
【請求項６】
ｐ３８  ＭＡＰＫ関連疾患の予防および／または治療のための、請求項１〜５のいずれか一項に記載の医薬組成物。
【請求項７】
ｐ３８  ＭＡＰＫ関連疾患が、炎症性疾患、心疾患、癌、神経変性疾患、代謝性疾患および／または疼痛である、請求項６に記載の医薬組成物。
【請求項８】
式（Ｉ）：
【化６】
2014532688.tif 000006
［式中、
ｎは、０または１を表し；
Ｘは、−ＣＨ２−または−Ｃ（Ｏ）−を表し；
Ｒ１およびＲ２は独立に、Ｈ、ハロゲン、ＮＯ２、ＣＦ３およびＣＮからなる群から選択され；
Ｒ３およびＲ６は独立に、ハロゲン、ＯＨ、置換されていてもよいＣ１−Ｃ６アルキル、置換されていてもよいＣ１−Ｃ６アルコキシ、Ｃ１−６ハロアルキル、ＮＨ２、ＮＯ２およびＣＮからなる群から選択され；
Ｒ４、Ｒ５およびＲ７は独立に、Ｈ、ハロゲン、ＯＨ、置換されていてもよいＣ１−Ｃ６アルキル、置換されていてもよいＣ１−Ｃ６アルコキシ、Ｃ１−６ハロアルキル、ＮＨ２、ＮＯ２およびＣＮからなる群から選択される］
の化合物またはその塩もしくは溶媒和物
（ただし、式（Ｉ）の化合物は（５−クロロ−２−メチル−フェニル）−（７−クロロ−４−ニトロ−ベンゾ［１，２，５］オキサジアゾール−５−イル）−アミン、（７−クロロ−４−ニトロ−ベンゾ［１，２，５］オキサジアゾール−５−イル）−（２，５−ジメチル−フェニル）−アミンまたは（２，５−ジメチル−フェニル）−（５，７−ジニトロ−ベンゾ［１，２，５］オキサジアゾール−４−イル）−アミンではない）。
【請求項９】
式（Ｉ）の化合物が式（Ｉａ）：
【化７】
2014532688.tif 000007
（式中、ｎ、Ｘ、Ｒ１〜Ｒ７は請求項８において定義される通り）
の化合物である、請求項８に記載の化合物、またはその塩もしくは溶媒和物。
【請求項１０】
式（Ｉａ）の化合物が式（Ｉａ’）：
【化８】
2014532688.tif 000008
（式中、ｎ、Ｘ、Ｒ１〜Ｒ７は請求項９において定義される通り）
の化合物である、請求項９に記載の化合物、またはその塩もしくは溶媒和物。
【請求項１１】
ｎが０である、請求項８〜１０のいずれか一項に記載の化合物。
【請求項１２】
Ｒ４、Ｒ５およびＲ７が独立にＨ、ハロゲン、ＯＨ、メチル、メトキシ、ＣＦ３、ＮＨ２、ＮＯ２およびＣＮからなる群から選択される、請求項８〜１１のいずれか一項に記載の化合物。
【請求項１３】
Ｒ４、Ｒ５およびＲ７のうちの少なくとも１つがＨである、請求項１２に記載の化合物。
【請求項１４】
式（Ｉ）の化合物が
【化９】
2014532688.tif 000009
からなる群から選択される、請求項８〜１３のいずれか一項に記載の化合物、またはその塩もしくは溶媒和物。
【手続補正書】
【提出日】平成27年9月9日(2015.9.9)
【手続補正１】
【補正対象書類名】特許請求の範囲
【補正対象項目名】全文
【補正方法】変更
【補正の内容】
【特許請求の範囲】
【請求項１】
エレベータ昇降路内を移動するよう構成されたエレベータカー、階床および保護装置を有し、該保護装置は前記エレベータカーの底部と接続された防護壁を有し、該防護壁は垂直な作動位置と該垂直な作動位置を外れて折られた収納位置の間を移動することが可能であり、前記防護壁は前記作動位置にあるときに前記エレベータカーの階床側の下端から下方に延びる壁を形成し、さらに、前記保護装置は前記作動位置にある前記防護壁が前記作動位置を外れて折れることを防ぐ固定手段を有するエレベータにおいて、前記固定手段は１以上の可動の固定手段を有し、該可動の固定手段は固定位置と収納位置の間を動くように構成され、前記固定位置にあるときには、前記固定手段は前記作動位置にある前記防護壁が前記作動位置を外れて前記収納位置へ向かって折れることを防ぎ、前記収納位置にあるときには、前記固定手段は前記防護壁が前記作動位置を外れて前記収納位置へ折り畳まれることを許容することを特徴とするエレベータ。
【請求項２】
請求項１に記載のエレベータにおいて、前記防護壁が前記収納位置から前記作動位置へ移動する場合に、前記固定手段は前記固定位置へ移動するように構成されていることを特徴とするエレベータ。
【請求項３】
請求項１または２に記載のエレベータにおいて、前記収納位置にある前記固定手段に力が働き、該固定手段を前記固定位置の方向へ押すように構成され、前記力は、好ましくは地球の重力および／またはばね手段があればそのばね力であることを特徴とするエレベータ。
【請求項４】
請求項１ないし３のいずれかに記載のエレベータにおいて、前記防護壁が前記収納位置にあるときには、前記固定手段の前記固定位置への移動を防ぐように構成されていることを特徴とするエレベータ。
【請求項５】
請求項１ないし４のいずれかに記載のエレベータにおいて、前記収納位置にある前記固定手段に力が働き、該固定手段を前記固定位置の方向に押すように構成され、前記防護壁の前記収納位置から前記作動位置への移動は、前記固定手段を解放して、前記力の作用により前記固定位置へ動かすようにしてなされることを特徴とするエレベータ。
【請求項６】
請求項１ないし５のいずれかに記載のエレベータにおいて、前記固定手段は、垂直運動によって固定位置と収納位置の間を移動するように構成されていることを特徴とするエレベータ。
【請求項７】
請求項１ないし６のいずれかに記載のエレベータにおいて、前記固定手段は、直線運動によって固定位置と収納位置の間を移動するように構成されていることを特徴とするエレベータ。
【請求項８】
請求項１ないし７のいずれかに記載のエレベータにおいて、前記固定手段は長尺状で曲げ剛性が高い部材であり、さらに前記固定手段は、該固定手段の長手方向の直線運動によって固定位置と収納位置の間を移動するように構成されていることを特徴とするエレベータ。
【請求項９】
請求項１ないし８のいずれかに記載のエレベータにおいて、前記固定手段は、前記収納位置にあるときには、少なくとも部分的に前記エレベータカーのドア開口部の横にあることを特徴とするエレベータ。
【請求項１０】
請求項１ないし９のいずれかに記載のエレベータにおいて、前記固定手段は、前記収納位置および／または前記固定位置にあるときには、垂直に配置されることを特徴とするエレベータ。
【請求項１１】
請求項１ないし１０のいずれかに記載のエレベータにおいて、前記固定手段は前記エレベータカーに支持され、支持されたまま固定位置と収納位置の間を所定の軌道に沿って、好ましくはガイドレールを用いて動くことを特徴とするエレベータ。
【請求項１２】
請求項１ないし１１のいずれかに記載のエレベータにおいて、前記防護壁は互いに伸縮自在に連結された上部壁部品および下部壁部品を有し、該下部壁部品に戻り止め部が連結され、該戻り止め部は、前記壁が前記作動位置にある場合に前記下部壁部品を上げると、前記固定手段を前記固定位置の範囲外に押すように構成されていることを特徴とするエレベータ。
【請求項１３】
請求項１ないし１２のいずれかに記載のエレベータにおいて、前記収納位置にある前記防護壁に力が働き、該防護壁を前記作動位置の方向に押すように構成され、前記力は好ましくは地球の重力および／またはばね手段があればそのばね力であり、前記保護装置は前記防護壁を前記収納位置で把持する把持手段を有し、該把持手段は解放可能であり、前記力の作用により前記防護壁を前記収納位置から前記作動位置へ移動させることを特徴とするエレベータ。
【請求項１４】
請求項１ないし１３のいずれかに記載のエレベータにおいて、前記把持手段は、前記エレベータカーが隣接した階床の間で停止すると、前記防護壁を解放するように構成されていることを特徴とするエレベータ。
【請求項１５】
請求項１ないし１４のいずれかに記載のエレベータにおいて、前記防護壁は手動で前記作動位置から前記収納位置へ戻るように構成されていることを特徴とするエレベータ。
【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
下記列挙された化合物の中から選ばれた化合物またはこれらの薬学的に許容される塩を含む、腎臓疾患の予防または治療用組成物：
１−（ピリジン−２−イル）−３−フェニル−４−プロピル−１Ｈ−ピラゾール−５−オール；
１−（ピリジン−２−イル）−３−フェニル−４−プロピル−１Ｈ−ピラゾール−５−オールの塩酸塩（１−（ピリジン−２−イル）−３−フェニル−４−プロピル−１Ｈ−ピラゾール−５−オール・ＨＣｌ）；
３−（３−メトキシフェニル）−１−（ピリジン−２−イル）−１Ｈ−ピラゾール−５（４Ｈ）−オン；
３−（４−ブロモフェニル）−１−（ピリジン−２−イル）−１Ｈ−ピラゾール−５−オール；
３−（４−ブロモフェニル）−１−（ピリジン−２−イル）−１Ｈ−ピラゾール−５−イルアセテート；
３−（３−ヨードフェニル）−１−（ピリジン−２−イル）−１Ｈ−ピラゾール−５−オール；
３−（（ナフタレン−３−イルオキシ）メチル）−１−（ピリジン−２−イル）−１Ｈ−ピラゾール−５−オール；
３−（２−（ベンゾ［ｄ］［１，３］ジオキソール−５−イル）フェニル）−１−（ピリジン−２−イル）−１Ｈ−ピラゾール−５−オール；
３−（ビフェニル−４−イル）−１−（ピリミジン−２−イル）−１Ｈ−ピラゾール−５−オール；および
３−｛２−（４−ヒドロキシ−３−メトキシフェニル）ビニル｝−４−プロピル−１−（２−ピリジニル）ピラゾール−５−オール。
【請求項２】
前記腎臓疾患は、糖尿病性腎症、高血圧性腎症、糸球体腎炎、腎盂腎炎、間質性腎炎、ループス腎炎、多嚢性腎臓疾患および腎不全よりなる群から選ばれる少なくとも一つの腎臓疾患である、請求項１に記載の腎臓疾患の予防または治療用組成物。
【請求項３】
下記列挙された化合物の中から選ばれた化合物またはこれらの薬学的に許容される塩を含む、腎臓疾患の予防または治療用組成物：
１−（ピリジン−２−イル）−３−フェニル−４−プロピル−１Ｈ−ピラゾール−５−オールの塩酸塩（１−（ピリジン−２−イル）−３−フェニル−４−プロピル−１Ｈ−ピラゾール−５−オール・ＨＣｌ）；
３−（４−ブロモフェニル）−１−（ピリジン−２−イル）−１Ｈ−ピラゾール−５−イルアセテート；
３−（３−ヨードフェニル）−１−（ピリジン−２−イル）−１Ｈ−ピラゾール−５−オール；
３−（（ナフタレン−３−イルオキシ）メチル）−１−（ピリジン−２−イル）−１Ｈ−ピラゾール−５−オール；および
３−（ビフェニル−４−イル）−１−（ピリミジン−２−イル）−１Ｈ−ピラゾール−５−オール。
【請求項４】
前記腎臓疾患は、糖尿病性腎症、高血圧性腎症、糸球体腎炎、腎盂腎炎、間質性腎炎、ループス腎炎、多嚢性腎臓疾患および腎不全よりなる群から選ばれる少なくとも一つの腎臓疾患である、請求項３に記載の腎臓疾患の予防または治療用組成物。
【請求項５】
腎臓疾患の予防または治療用薬学的製剤を製造するための下記に列挙された化合物またはこれらの薬学的に許容される塩の用途：
１−（ピリジン−２−イル）−３−フェニル−４−プロピル−１Ｈ−ピラゾール−５−オール；
１−（ピリジン−２−イル）−３−フェニル−４−プロピル−１Ｈ−ピラゾール−５−オールの塩酸塩（１−（ピリジン−２−イル）−３−フェニル−４−プロピル−１Ｈ−ピラゾール−５−オール・ＨＣｌ）；
３−（３−メトキシフェニル）−１−（ピリジン−２−イル）−１Ｈ−ピラゾール−５（４Ｈ）−オン；
３−（４−ブロモフェニル）−１−（ピリジン−２−イル）−１Ｈ−ピラゾール−５−オール；
３−（４−ブロモフェニル）−１−（ピリジン−２−イル）−１Ｈ−ピラゾール−５−イルアセテート；
３−（３−ヨードフェニル）−１−（ピリジン−２−イル）−１Ｈ−ピラゾール−５−オール；
３−（（ナフタレン−３−イルオキシ）メチル）−１−（ピリジン−２−イル）−１Ｈ−ピラゾール−５−オール；
３−（２−（ベンゾ［ｄ］［１，３］ジオキソール−５−イル）フェニル）−１−（ピリジン−２−イル）−１Ｈ−ピラゾール−５−オール；
３−（ビフェニル−４−イル）−１−（ピリミジン−２−イル）−１Ｈ−ピラゾール−５−オール；および
３−｛２−（４−ヒドロキシ−３−メトキシフェニル）ビニル｝−４−プロピル−１−（２−ピリジニル）ピラゾール−５−オール。
【請求項６】
腎臓疾患の予防または治療用薬学的製剤を製造するための下記に列挙された化合物またはこれらの薬学的に許容される塩の用途：
１−（ピリジン−２−イル）−３−フェニル−４−プロピル−１Ｈ−ピラゾール−５−オールの塩酸塩（１−（ピリジン−２−イル）−３−フェニル−４−プロピル−１Ｈ−ピラゾール−５−オール・ＨＣｌ）；
３−（４−ブロモフェニル）−１−（ピリジン−２−イル）−１Ｈ−ピラゾール−５−イルアセテート；
３−（３−ヨードフェニル）−１−（ピリジン−２−イル）−１Ｈ−ピラゾール−５−オール；
３−（（ナフタレン−３−イルオキシ）メチル）−１−（ピリジン−２−イル）−１Ｈ−ピラゾール−５−オール；および
３−（ビフェニル−４−イル）−１−（ピリミジン−２−イル）−１Ｈ−ピラゾール−５−オール。
【誤訳訂正書】
【提出日】平成27年4月8日(2015.4.8)
【誤訳訂正１】
【訂正対象書類名】明細書
【訂正対象項目名】００９３
【訂正方法】変更
【訂正の内容】
【００９３】
【表８】
2007524687.tif 000001
【誤訳訂正２】
【訂正対象書類名】明細書
【訂正対象項目名】００９６
【訂正方法】変更
【訂正の内容】
【００９６】
【表１１】
2007524687.tif 000002
【誤訳訂正３】
【訂正対象書類名】明細書
【訂正対象項目名】００９７
【訂正方法】変更
【訂正の内容】
【００９７】
【図１】ベンチスケール実験ＨＰＬＣ−ＳＥＣクロマトグラムで、Ａはベンチスケール抽出液、ＢはベンチスケールＤＦ透過液、ＣはベンチスケールＤＦ透析単離物のクロマトグラムを示す。
【図２】ＢＷ−ＡＬ０２２−Ｉ０２−０３Ａ♯１Ｃ５００ＨＰＬＣ−ＳＥＣクロマトグラムで、Ａは２００３年９月１９日のＩ０２単離物、Ｂは２００３年１２月１８日のＩ０２単離物のクロマトグラムを示す。
【誤訳訂正書】
【提出日】平成27年10月28日(2015.10.28)
【誤訳訂正１】
【訂正対象書類名】特許請求の範囲
【訂正対象項目名】全文
【訂正方法】変更
【訂正の内容】
【特許請求の範囲】
【請求項１】
一次光を前記一次光とは異なる波長の二次光に変換する変換物質であって、変換フォトルミネッセンス物質を有し、前記変換物質に前記一次光が照射される場合に、前記変換物質内の前記変換フォトルミネッセンス物質の濃度は時間経過とともに減少する、変換物質と、
前記二次光を生成するために前記変換物質の方に前記一次光を照射する一次光源と、
を有し、前記変換物質に前記一次光が照射される場合に、前記変換物質内の前記変換フォトルミネッセンス物質の濃度の相対的低下が、前記二次光の強度の相対的低下より大きくなるように、前記変換物質の厚みと前記変換フォトルミネッセンス物質の初期濃度とのうちの少なくとも一方は、前記一次光の透過率が前記フォトルミネッセンス物質の劣化前において１０−８％以下であるように設定されている、照明装置。
【請求項２】
前記変換物質内の変換フォトルミネッセンス物質の濃度の相対的低下が９０％以下である場合に、前記二次光の強度の相対的低下は１０％より小さい、請求項１記載の照明装置。
【請求項３】
前記変換フォトルミネッセンス物質は、有機色素のペリレン誘導体である有機蛍光体分子を含む、請求項１記載の照明装置。
【請求項４】
前記一次光源は発光ダイオードである、請求項１記載の照明装置。
【請求項５】
前記変換物質は、導波路効果を低減するために、前記二次光を拡散する粒子を含む、請求項１記載の照明装置。
【請求項６】
前記変換物質はデカップリング外表面を有する層を有し、前記二次光を外部に放射する、請求項１記載の照明装置。
【請求項７】
前記変換物質は、導波路効果を低減するために、拡散表面に光学的に結合される表面層を有する、請求項１記載の照明装置。
【請求項８】
前記変換物質はデカップリング外部表面を有する層を形成し、前記デカップリング外部表面に平行な方向から前記一次光の照射を受ける、請求項１記載の照明装置。
【請求項９】
前記変換フォトルミネッセンス物質を環境光から遮へいするシールドを有する請求項１記載の照明装置。
【請求項１０】
前記照明装置は、反射内部表面を有する反射チャンバーを含み、前記反射チャンバーの出口窓を形成する前記変換物質の方に前記一次光を照射する、請求項１記載の照明装置。
【請求項１１】
前記変換フォトルミネッセンス物質は所定のパターンで配列される、請求項１記載の照明装置。
【請求項１２】
前記パターンは、前記変換フォトルミネッセンス物質を有する少なくとも１つの第１領域と、前記変換フォトルミネッセンス物質を有しない少なくとも１つの第２領域とを含む、請求項１１記載の照明装置。
【請求項１３】
前記変換物質は、２つのフェーズを有する混合物を含み、前記変換フォトルミネッセンス物質は、前記２つのフェーズのうちの一方に存在し、該一方のフェーズは前記変換物質の中に分散している、請求項１１記載の照明装置。
【請求項１４】
照明方法であって、
変換フォトルミネッセンス物質を有する変換物質に、一次光源から一次光を照射し、前記一次光とは異なる波長の二次光を生成するステップを有し、
前記変換物質に前記一次光が照射される場合に、前記変換物質内の前記変換フォトルミネッセンス物質の濃度は時間経過とともに減少し、
前記変換物質の厚みと前記変換フォトルミネッセンス物質の初期濃度とのうち少なくとも一方は、前記変換物質に前記一次光が照射される場合に、前記変換物質内の前記変換フォトルミネッセンス物質の濃度の相対的低下が、前記二次光の強度の相対的低下より大きくなるように、前記一次光の透過率が前記フォトルミネッセンス物質の劣化前において１０−８％以下であるように設定されている、照明方法。
【誤訳訂正２】
【訂正対象書類名】明細書
【訂正対象項目名】００１５
【訂正方法】変更
【訂正の内容】
【００１５】
一実施形態では、変換フォトルミネッセンス物質、即ちフォトルミネッセンス染料は、一次光の透過率が劣化前の吸収度１０に相当するものである約１０−８％であるような所定の濃度及び厚さを有する層内に供給される。変換フォトルミネッセンス物質の９０％の劣化の後、吸収度は好ましくは１になり、これは１０％の透過率に相当する。一次光の吸収、それ故、二次光の発光は、従って、少しだけ変化する。寿命の終わりが、フォトルミネッセンス物質の約９０％の劣化であると仮定される場合、一次光の吸収は１０から１へ低下し、即ち、依然一次光の大部分は変換フォトルミネッセンス物質によって吸収される。
【誤訳訂正３】
【訂正対象書類名】明細書
【訂正対象項目名】００５１
【訂正方法】変更
【訂正の内容】
【００５１】
図１６は、４５０ｎｍの波長を有する一次光の透過を０．５％のフォトルミネッセンス物質濃度を有する変換層の厚さｄの関数として概略的且つ例示的に示す。ブリーチの様々な程度に対応する様々なカーブが示される。図１６では、１００％、７０％、５０％及び３０％が、サンプル内のフォトルミネッセンス物質の最初の濃度の割合を示し、即ち、１００％はフォトルミネッセンス物質の０％がブリーチしたことを意味し、７０％はフォトルミネッセンス物質の３０％がブリーチしたことを意味する等々である。１０ミクロンの厚さでは、ブリーチする前に、約６０％の光が吸収されることが理解される。フォトルミネッセンス物質の７０％がブリーチした後、吸収は約２０％になる。これは吸収の約７０％低下に相当する。５０ミクロンの層の厚さでは、ブリーチする前に、吸収は９５％以上である。変換フォトルミネッセンス物質の濃度７０％の低下後、吸収は７０％になる。これは、吸収の２７．７％というずっと低い低下に相当する。ずっと高い厚さ２００ミクロンの例では、変換フォトルミネッセンス物質の７０％がブリーチしたとき、吸収は如何なる変化もほとんど示さず、殆ど全ての光がやはり吸収される。全てのケースでは、一次光が吸収されると、二次光に変換される。従って、減衰係数、変換層の厚さ、及び、変換層内の変換フォトルミネッセンス物質濃度の積として好ましくは定義される吸収率が、厚さの増加により増加する場合、高パーセンテージのフォトルミネッセンス物質が劣化したときでも、一次光の吸収、よって、二次光の放出の比較的小さい変化となる状況が得られる。図１６に関して、変換層の厚さは、例えば好ましくは５０ミクロン以上、更に好ましくは１００ミクロン以上、また更に好ましくは２００ミクロン以上である。